(57)【要約】【課題】  録画再生装置がチューナからの信号を利用している最中であっても、外部機器からの入力信号を表示装置等の外部の出力装置に出力する。【解決手段】  第１のスイッチ１３の固定接点１３ａはチューナ部１２より番組信号を受信する。固定接点１３ｂは録画再生装置２より番組信号を受信する。可動接片１３ｘは固定接点１３ａと固定接点１３ｂとを択一的に切り替えられる。第２のスイッチ１５の固定接点１５ａは録画再生装置２より番組信号を受信する。固定接点１５ｂは録画再生部１４より番組信号を受信する。可動接片１５ｘは固定接点１５ａと固定接点１５ｂとを択一的に切り替えられる。これにより、録画再生部１４から出力された番組と、入力端子１６を介して録画再生装置２からの番組とのいずれか１つが第２のスイッチ１５で選択され、出力端子１７より外部機器に出力される。【選択図】  図１
2005210625.tif 000002
【特許請求の範囲】
【請求項１】
受信した放送波から指定された番組を選局して第１の番組信号に変換するチューナ部と、
外部機器から出力された第２の番組信号を入力する入力端子と、
前記チューナ部により変換された前記第１の番組信号と、前記入力端子に入力された前記第２の番組信号とのいずれか１の番組信号を選択する第１のスイッチと、
前記第１のスイッチにより選択された前記番組信号を録画再生する録画再生部と、
前記録画再生部により録画再生された前記番組信号と、前記入力端子より直接入力された前記第２の番組信号とのいずれか１の番組信号を選択する第２のスイッチと、
前記第２のスイッチにより選択された前記番組信号を外部機器に出力する出力端子と
を備えたことを特徴とする録画再生装置。
【請求項２】
受信した放送波から指定された番組を選局して第１の番組信号に変換するチューナ部と、
複数の外部機器から出力された番組信号を入力する複数の入力端子と、
前記チューナ部により変換された前記第１の番組信号と、前記複数の入力端子に入力された前記番組信号のうち、いずれか１の番組信号を選択する第１のスイッチと、
前記第１のスイッチにより選択された前記番組信号を録画再生する録画再生部と、
前記録画再生部により録画再生された前記番組信号と、前記複数の入力端子より直接入力された前記番組信号のうち、いずれか１の番組信号を選択する第２のスイッチと、
前記第２のスイッチにより選択された前記番組信号を外部機器に出力する出力端子と
を備えたことを特徴とする録画再生装置。
【請求項３】
前記第２のスイッチは、前記録画再生部により録画再生された前記番組信号と、前記複数の入力端子より直接入力された前記番組信号のうち、複数の番組信号を選択し、
前記出力端子は前記第２のスイッチにより選択された前記複数の番組信号を出力する複数の出力端子を備えたことを特徴とする請求項２に記載の録画再生装置。
【請求項４】
前記第２のスイッチはソレノイドにより構成されていることを特徴とする請求項１〜請求項３に記載の録画再生装置。
【請求項５】
前記第１のスイッチの選択及び前記第２のスイッチの選択を視覚的に表示する機能を備えたことを特徴とする請求項１に記載の録画再生装置。
【発明の詳細な説明】
【技術分野】
【０００１】
この発明は、録画再生装置に係り、特に当該録画再生装置に入力した映像・音声・文字情報を含む番組信号をそのままＴＶ、ＶＴＲ等に供給するための切替スイッチを備えた録画再生装置に関する。
【背景技術】
【０００２】
録画再生装置は、ユーザの希望するテレビ放送等の映像や音声や文字情報等を記録し、その記録された番組を再生する機能を備えている。この録画再生装置はテレビなどの表示装置を接続して希望する番組を視聴する。近年、このような録画再生装置が家庭に急激に普及し、これを複数台所有することも珍しくない。
【０００３】
ところで、録画再生装置を複数台所有する場合、１台目の録画再生装置と２台目の録画再生装置と表示装置とを直列に接続することもありえる。これは１台目の録画再生装置からの映像等を２台目の録画再生装置で録画しながらその録画している番組を表示装置に出力する利用形態においては便利な接続方法である。
【０００４】
しかし、１台目の録画再生装置の映像を２台目の録画再生装置で録画することなくそのまま表示装置に出力する場合、２台目の録画再生装置は直接的には利用しないものの、このままの配線ではこの２台目の録画再生装置の電源も入れておかねばならないという問題が生ずる。
【０００５】
この問題に対しては、外部からの入力信号をそのまま出力装置に出力できるＣＡＴＶの端末装置の提案があり、これを録画再生装置に応用すれば問題は解決できると考えられる（例えば、特許文献１参照）。
【特許文献１】特開平１０−４２２６６号公報（第８頁、図１参照）
【発明の開示】
【発明が解決しようとする課題】
【０００６】
しかしながら、上述した特許文献１の提案を採用した場合でも、１台目の録画再生装置と２台目の録画再生装置と表示装置とを直列に接続した状態のままでは以下のような不具合が生じる。
【０００７】
即ち、２台目の録画再生装置のチューナが受信した信号を当該２台目の録画再生装置内の録画に利用した場合に、この直列に接続した配線のままでは録画最中には外部機器である１台目の録画再生装置からの入力信号を表示装置などの外部機器に出力することが出来ないという問題があった。
【０００８】
そこで、本発明は、録画再生装置がチューナからの信号を利用している最中であっても、外部機器からの入力信号を表示装置等の外部の出力装置に出力することが出来る録画再生装置を提供することを目的とする。
【課題を解決するための手段】
【０００９】
上記目的を達成するために、本発明の録画再生装置は、受信した放送波から指定された番組を選局して第１の番組信号に変換するチューナ部と、外部機器からの映像と音声の信号である第２の番組信号を入力する入力端子と、前記チューナ部により変換された前記第１の番組信号と、前記入力端子に入力された前記第２の番組信号とのいずれか１の番組信号を選択する第１のスイッチと、前記第１のスイッチにより選択された前記番組信号を録画再生する録画再生部と、前記録画再生部により録画再生された前記番組信号と、前記入力端子に入力された前記第２の番組信号とのいずれか１の前記番組信号を選択する第２のスイッチと、前記第２のスイッチにより選択された前記番組信号を外部機器に出力する出力端子とを備えたことを特徴としている。
【００１０】
また、本発明の他の録画再生装置１は、受信した放送波から指定された番組を選局して第１の番組信号に変換するチューナ部と、複数の外部機器からの映像と音声の信号である前記複数の番組信号を入力する前記複数の入力端子と、前記チューナ部により変換された前記第１の番組信号と、前記入力端子に入力された前記複数の番組信号の中からいずれか１の番組信号を選択する第１のスイッチと、前記第１のスイッチにより選択された前記番組信号を録画再生する録画再生部と、前記録画再生部により録画再生された前記番組信号と、前記複数の入力端子に入力された前記複数の番組信号の中からいずれか１の番組信号を選択する第２のスイッチと、前記第２のスイッチにより選択された前記番組信号を外部機器に出力する出力端子とを備えたことを特徴としている。
【発明の効果】
【００１１】
録画再生装置がチューナからの信号を利用している最中であっても、外部機器からの入力信号を表示装置等の外部の出力装置に出力することが出来る。
【発明を実施するための最良の形態】
【００１２】
（第１の実施の形態）
以下に、本発明による録画再生装置の第１の実施の形態を図１乃至図３を参照して説明する。図１は本発明による録画再生装置の第１の実施の形態を示すブロック図である。この録画再生装置１は、アンテナ部１１と、チューナ部１２と、第１のスイッチ１３と、録画再生部１４と、第２のスイッチ１５と、入力端子１６と、出力端子１７とを主たる構成要素としている。
【００１３】
次に、各要素の構成を説明する。
【００１４】
アンテナ部１１はテレビ放送波を受信する。このテレビ放送波は、アナログ放送及びデジタル放送の別を問わない。
【００１５】
チューナ部１２はアンテナ部１１が受信したテレビ放送波の中からユーザにより選局された放送局のテレビ放送波を選局し、映像・音声・文字情報等が含まれた番組信号へと変換する。
【００１６】
第１のスイッチ１３は、チューナ部１２の番組信号と外部装置である録画再生装置２からの映像・音声・文字等が含まれた番組信号とを択一的に切り替えて受信し、この番組信号を録画再生部１４に送出する。
【００１７】
録画再生部１４は、第１のスイッチ１３から受信した番組信号を録画又は再生する部分であり、再生された信号は第２のスイッチ１５に送出される。尚、録画再生装置１は録画と再生のモード切り替えが可能であり、この切り替えにより録画再生装置１が録画モードに設定されていれば録画再生部１４において番組の再生の他、この番組を録画することが可能である。
【００１８】
第２のスイッチ１５は、録画再生部１４から受信した番組信号と録画再生装置２から出力され、入力端子１６を介して第２のスイッチ１５に入力された番組信号とを択一的に切り替えて受信し、この番組信号を出力端子１７に送出する。
【００１９】
入力端子１６は外部装置が録画再生装置１に出力した信号を録画再生装置１内で受信するための接続端子である。
【００２０】
出力端子１７は録画再生装置１から外部装置に映像・音声・文字等が含まれた番組の信号を出力するための接続端子である。
【００２１】
次に、第１のスイッチ１３の構成を説明する。第１のスイッチ１３は、可動接片１３ｘと、固定接点１３ａと、固定接点１３ｂとを有している。固定接点１３ａはチューナ部１２と接続しており、チューナ部１２より番組信号を受信する。
【００２２】
固定接点１３ｂは入力端子１６と接続しており、外部装置である録画再生装置２より番組信号を受信する。ここで可動接片１３ｘは固定接点１３ａと固定接点１３ｂとを択一的に切り替えて受信することが出来るように可動可能となっている。
【００２３】
従って、可動接片１３ｘが固定接点１３ａに接続している場合、録画再生部１４が受信する信号の流れは以下のようになる。まずアンテナ部１１によりテレビ放送波が受信され、チューナ部１２に送出される。このテレビ放送波は、チューナ部１２においてユーザにより選局された放送局のテレビ放送波が選局され、この選局されたテレビ放送波から映像・音声・文字情報等を含む番組信号に変換される。そして、この変換された番組信号は第１のスイッチ１３に送出され、可動接片１３ｘが固定接点１３ａに接続されることにより録画再生部１４に送出される。
【００２４】
一方、可動接片１３ｘが固定接点１３ｂに接続している場合、録画再生装置２が出力した番組信号が入力端子１６を介して第１のスイッチ１３に送出され、可動接片１３ｘが固定接点１３ｂに接続されることにより録画再生部１４に送出される。
【００２５】
従って、録画再生部１４は、可動接片１３ｘが固定接点１３ａに接続している場合は、録画再生装置１自身のチューナ部１２を利用して受信した番組を録画・再生することが可能となる。一方、可動接片１３ｘが固定接点１３ｂに接続している場合は、外部装置である録画再生装置２が出力した番組信号を録画・再生することが可能となる。
【００２６】
次に、第２のスイッチ１５の構成を説明する。第２のスイッチ１５は、可動接片１５ｘと、固定接点１５ａと、固定接点１５ｂとを有している。固定接点１５ａは入力端子１６と接続しており、外部装置である録画再生装置２より番組信号を受信する。固定接点１５ｂは録画再生部１４と接続しており、録画再生部１４より番組信号を受信する。
【００２７】
ここで可動接片１５ｘは固定接点１５ａと固定接点１５ｂとを択一的に切り替えて受信することが出来るように可動可能となっている。
【００２８】
従って、表示装置３に出力する番組は以下のようになる。即ち、可動接片１５ｘが固定接点１５ａに接続している場合は、入力端子１６を介して録画再生装置２が出力した映像・音声・文字情報等の番組信号が出力端子１７を介して外部装置である表示装置３に出力される。
【００２９】
一方、可動接片１５ｘが固定接点１５ｂに接続されている場合は、録画再生部１４が送出した番組信号が出力端子１７を介して外部装置である表示装置３に出力される。ここで、図１では外部装置として表示装置を示しているが、これは映像・音声・文字情報等の信号を受信できるものであれば、ＶＴＲ（Ｖｉｄｅｏ  Ｔａｐｅ  Ｒｅｃｏｒｄｅｒ）やＤＶＤ（Ｄｉｇｉｔａｌ  Ｖｅｒｓａｔｉｌｅ  Ｄｉｓｋ）付きの録画再生装置等の録画再生装置であっても良い。
【００３０】
尚、上述した第１のスイッチ１３及び第２のスイッチ１５のスイッチの切り替えは、電気的な制御で実現できる他、ソレノイド駆動、手動などの他の方法で実現しても良い。
【００３１】
次に、本実施の形態において実際に番組を受信した場合の信号の流れを説明する。図２は、本発明の第１の実施の形態に係る録画再生装置１の利用態様の一例を示した図である。ここでは、図１における録画再生装置２としてＶＴＲを入力端子１６に接続し、表示装置３としてＴＶ（Ｔｅｌｅｖｉｓｉｏｎ）を出力端子１７に接続した場合の図である。
【００３２】
図２では、録画再生装置１においてユーザにより番組αが選局され、録画再生装置２から録画再生装置１に対しては番組βが出力された場合を示している。
【００３３】
この図２の場合において、ＴＶ（表示装置３）から出力される番組、及び録画再生装置１が録画可能な番組は図３のようになる。
【００３４】
即ち、図３に示すように第１のスイッチ１３において固定接点１３ａが選択されている場合、第２のスイッチ１５において固定接点１５ａが選択されていれば、ＴＶからは録画再生装置２より出力された番組βが録画再生部１４を介さずに表示装置３から出力される。この場合、録画再生装置１が録画モードに設定されていれば、録画再生部１４には番組αが録画されることとなる。また、同じ状態で、第２のスイッチ１５において固定接点１５ｂが選択されていれば、ＴＶからは録画再生装置１のチューナ部１２により選局された番組αが出力される。ここで、録画再生装置１が録画モードに設定されていれば、録画再生部１４には表示装置３の出力手段と同じ番組αが録画されることとなる。
【００３５】
一方、第１のスイッチ１３において固定接点１３ｂが選択されている場合、第２のスイッチ１５において固定接点１５ａが選択されていれば、ＴＶからは録画再生装置２より出力された番組βが録画再生部１４を介さずに表示装置３から出力される。この場合、録画再生装置１が録画モードに設定されていれば、録画再生部１４には表示装置３に出力されている番組と同じ番組βが録画されることとなる。また、同じ状態で、第２のスイッチ１５において固定接点１５ｂが選択されていれば、ＴＶからは録画再生部１４を介して番組βが出力される。ここで、録画再生装置１が録画モードに設定されていれば、録画再生部１４には表示装置３の出力手段と同じ番組βが録画されることとなる。
【００３６】
このように、従来、録画再生部１４に対して、第１のスイッチ１３のように、録画再生装置１自身が受信した番組と外部機器である録画再生装置２からの受信信号との切り替えを行うスイッチは存在したものの、新たに録画再生装置１が出力する信号の切り替えスイッチとして外部機器である録画再生装置２からの信号と録画再生部１４からの信号とを切り替えるスイッチを設ける構成とした。
【００３７】
これによって、録画再生装置がチューナからの信号を利用している最中であっても、外部機器からの入力信号を表示装置等の外部の出力装置に出力することが出来る。
【００３８】
（第２の実施の形態）
以下に、本発明による録画再生装置の第２の実施の形態を図４乃至図６を参照して説明する。図４は、本発明による第２の実施の形態に係る録画再生装置のブロック図である。
【００３９】
この第２の実施の形態の各部について、図１の第１の実施の形態に係るブロック図と同一部分は同一記号で示し、その説明を省略する。この第２の実施の形態が、第１の実施の形態と異なる点は、外部機器からの入力端子１６が新たに１つ追加されている点にある。そして、これに伴い第１のスイッチ１３がチューナ部１２からの信号（１３ａ）と、入力端子１６を経由して外部機器からの受信した２つの信号（１３ｂ、１３ｃ）の計３つを受信し、この中から１つを選択する第１のスイッチ１３Ｂへと変わっている点にある。更に、第２のスイッチ１５が録画再生部１４からの信号（１５ｂ）と、入力端子１６を経由して２つの外部機器からの受信した２つの信号（１５ａ、１５ｃ）の計３つを受信し、この中から１つを選択する第２のスイッチ１５Ｂへと変わっている点にある。
【００４０】
即ち、第１のスイッチ１３Ｂは、可動接片１３ｘと、固定接点１３ａと、固定接点１３ｂと、固定接点１３ｃとを有し、可動接片１３ｘは固定接点１３ａ乃至固定接点１３ｃのいずれか１つを択一的に選択できるよう構成されている。
【００４１】
また、第２のスイッチ１５Ｂは、可動接片１５ｘと固定接点１５ａと固定接点１５ｂと固定接点１５ｃとを有し、可動接片１５ｘはそれぞれ固定接点１５ａ乃至固定接点１５ｃのいずれか１つを択一的に選択できるよう構成されている。
【００４２】
次に、本実施の形態において実際に番組を受信した場合の信号の流れを説明する。図５は、第２の実施の形態に係る録画再生装置１の利用態様の一例を示した図である。ここでは、図４における録画再生装置２としてＶＴＲ−１を入力端子１６の１つに接続し、また、他の入力端子１６にはＶＴＲ−２を接続し、更に表示装置３としてＴＶを出力端子１７に接続した場合の図である。
【００４３】
図５では、録画再生装置１においてユーザにより番組αが選局され、ＶＴＲ−１から録画再生装置１に対しては番組βが出力され、ＶＴＲ−２から録画再生装置１に対しては番組δが出力される場合を示している。
【００４４】
この図５の場合において、ＴＶ（表示装置３）から出力される番組、及び録画再生装置１が録画可能な番組は図６のようになる。
【００４５】
即ち、図６に示すように第１のスイッチ１３において固定接点１３ａが選択されている場合、第２のスイッチ１５において固定接点１５ａが選択されていれば、ＴＶからはＶＴＲ−１より出力された番組βが録画再生部１４を介さずに表示装置３から出力される。この場合、録画再生装置１が録画モードに設定されていれば、録画再生部１４には番組αが録画されることとなる。また、同じ状態で、第２のスイッチ１５において固定接点１５ｂが選択されていれば、ＴＶからは録画再生装置１のチューナ部１２により選局された番組αが出力される。この場合、録画再生装置１が録画モードに設定されていれば、録画再生部１４には表示装置３の出力手段と同じ番組αが録画されることとなる。更に、第２のスイッチ１５において固定接点１５ｃが選択されていれば、ＴＶからはＶＴＲ−２より出力された番組δが録画再生部１４を介さずに表示装置３から出力される。この場合、録画再生装置１が録画モードに設定されていれば、録画再生部１４には番組αが録画されることとなる。
【００４６】
一方、第１のスイッチ１３において固定接点１３ｂが選択されている場合、第２のスイッチ１５において固定接点１５ａが選択されていれば、ＴＶからは録画再生装置２より出力された番組βが録画再生部１４を介さずに表示装置３から出力される。この場合、録画再生装置１が録画モードに設定されていれば、録画再生部１４には表示装置３に出力されている番組と同じ番組βが録画されることとなる。また、同じ状態で、第２のスイッチ１５において固定接点１５ｂが選択されていれば、ＴＶからは録画再生部１４を介して番組βが出力される。この場合、録画再生装置１が録画モードに設定されていれば、録画再生部１４には表示装置３の出力手段と同じ番組βが録画されることとなる。更に、第２のスイッチ１５において固定接点１５ｃが選択されていれば、ＴＶからはＶＴＲ−２より出力された番組δが録画再生部１４を介さずに表示装置３から出力される。この場合、録画再生装置１が録画モードに設定されていれば、録画再生部１４には番組βが録画されることとなる。
【００４７】
更に、第１のスイッチ１３において固定接点１３ｃが選択されている場合、第２のスイッチ１５において固定接点１５ａが選択されていれば、ＴＶからは録画再生装置２より出力された番組βが録画再生部１４を介さずに表示装置３から出力される。この場合、録画再生装置１が録画モードに設定されていれば、録画再生部１４には番組δが録画されることとなる。また、同じ状態で、第２のスイッチ１５において固定接点１５ｂが選択されていれば、ＴＶからは番組δが出力される。この場合、録画再生装置１が録画モードに設定されていれば、録画再生部１４には表示装置３で出力されている番組と同じ番組δが録画されることとなる。更に、第２のスイッチ１５において固定接点１５ｃが選択されていれば、ＴＶからはＶＴＲ−２より出力された番組δが録画再生部１４を介さずに表示装置３から出力される。この場合、録画再生装置１が録画モードに設定されていれば、録画再生部１４には表示装置３から出力されている番組と同じ番組δが録画されることとなる。
【００４８】
このように、従来、録画再生部１４に対して、第１のスイッチ１３Ｂのように、録画再生装置１自身が受信した番組と外部機器である録画再生装置２からの受信信号との切り替えを行うスイッチは存在したものの、新たに録画再生装置１が出力する信号の切り替えスイッチとして外部機器である録画再生装置２からの信号と録画再生部１４からの信号とを切り替えるスイッチを設ける構成とした。
【００４９】
これによって、録画再生装置がチューナからの信号を利用している最中であっても、外部機器からの入力信号を表示装置等の外部の出力装置に出力することが出来る。
【００５０】
尚、本実施の形態では、入力端子１６を２個で構成したが、本実施の形態はこれに限定されず、入力端子１６を３個以上の複数個で構成し、第１のスイッチ１３Ｂはこの入力端子１６の数に対応した可動接片を有する第１のスイッチ１３Ｂになるようにしても良い。
【００５１】
（第２の実施の形態の変形例）
上述の第２の実施の形態は、以下のような変形例でも良い。即ち、図４では、入力される信号として、録画再生装置１自身が受信した番組の信号と外部機器である録画再生装置２からの２つの番組信号との計３つの番組信号があったが、この録画再生装置２からの２つの番組信号の内、１つを録画再生装置１自身が録画再生部１４に出力できる番組γの信号にするよう構成しても良い。
【００５２】
即ち、図７に示すように１の入力端子１６の代わりに録画再生装置１に記録媒体１４２を設け、記録媒体１４２を第１のスイッチ１３Ｂの固定接点１３ｃ及び第２のスイッチ１５Ｂの固定接点１５ｃとに接続するような構成にしても良い。
【００５３】
ここで、記録媒体１４２は、録画再生部１４に番組を送出するための機能を有する部分であり、ＨＤ（Ｈａｒｄ  Ｄｉｓｋ）等のように当初から録画再生装置１内に組み込む構成にしても良いし、ＶＴやＤＶＤ、ＣＤ（Ｃｏｍｐａｃｔ  Ｄｉｓｋ）等のように必要に応じてその都度録画再生装置１内に挿入するような構成としても良い。更にこれらのうちの２つ以上を有した構成としても良い。
【００５４】
図８は、第２の実施の形態の変形例に係る録画再生装置１の利用態様の一例を示した図である。ここでは、図７における録画再生装置２としてＶＴＲ−１を入力端子１６の１つに接続し、また、ユーザにより番組γが記録されている記録媒体１４２であるＤＶＤが挿入され、更に表示装置３としてＴＶを出力端子１７に接続した場合の図である。また、図８では、録画再生装置１においてユーザにより番組αが選局され、ＶＴＲ−１から録画再生装置１に対しては番組βが出力され、記録媒体１４２からは番組γが出力される場合を示している。
【００５５】
この図８の場合において、ＴＶ（表示装置３）から出力される番組、及び録画再生装置１が録画可能な番組は図６において番組δを番組γに置き換えたものであるため、この部分の詳説は省略する。
【００５６】
このように第２の実施の形態にかかる変形例においても、録画再生装置がチューナからの信号を利用している最中であっても、外部機器からの入力信号を表示装置等の外部の出力装置に出力することが出来る。
【００５７】
（第３の実施の形態）
以下に、本発明による録画再生装置の第３の実施の形態を図９乃至図１１を参照して説明する。図９は、本発明による第３の実施の形態に係る録画再生装置のブロック図である。この第３の実施の形態の各部について、図４の第２の実施の形態に係るブロック図と同一部分は同一記号で示し、その説明を省略する。この第３の実施の形態が、第２の実施の形態と異なる点は、外部機器への出力端子１７が新たに１つ追加されている点にある。そして、これに伴い、第２のスイッチ１５Ｂが録画再生部１４からの信号（１５ｂ）と、入力端子１６を経由して２つの外部機器からの受信した２つの信号（１５ａ、１５ｃ）の計３つを受信し、この中から２つを選択する第２のスイッチ１５Ｃへと変わっている点にある。
【００５８】
即ち、第２のスイッチ１５Ｃは、可動接片１５ｘと可動接片１５ｙと固定接点１５ａと固定接点１５ｂと固定接点１５ｃを有し、可動接片１５ｘ及び可動接片１５ｙはそれぞれ固定接点１５ａ乃至固定接点１５ｃのいずれか１つずつを択一的に選択できるよう構成されている。
【００５９】
次に、本実施の形態において実際に番組を受信した場合の信号の流れを説明する。図１０は、第３の実施の形態に係る録画再生装置１の利用態様の一例を示した図である。ここでは、図９における録画再生装置２としてＶＴＲ−１を入力端子１６の１つに接続し、他の入力端子１６にはＶＴＲ−２を接続している。更に表示装置３としてＴＶ−１を出力端子１７の１つに接続し、ＴＶ−２を他の出力端子１７に接続した場合の図である。
【００６０】
図１０では、録画再生装置１においてユーザにより番組αが選局され、ＶＴＲ−１から録画再生装置１に対しては番組βが出力され、ＶＴＲ−２から録画再生装置１に対しては番組δが出力される場合を示している。
【００６１】
この図１０の場合において、ＴＶ−１及びＴＶ−２から出力される番組、及び録画再生装置１が録画可能な番組はそれぞれ図６と同じになるため、この部分の詳説は省略する。
【００６２】
このように、本実施の形態においても、録画再生装置がチューナからの信号を利用している最中であっても、外部機器からの入力信号を表示装置等の外部の出力装置に出力することが出来る。
【００６３】
尚、本実施の形態では、出力端子１７を２個で構成したが、本実施の形態はこれに限定されず、出力端子１７を複数個で構成し、第２のスイッチ１５Ｃはこの出力端子１７の数に対応した可動接片を有する第２のスイッチ１５Ｃになるようにしても良い。
【００６４】
また、入力端子１６が３個以上の複数個で構成し、第１のスイッチ１３Ｂや第２のスイッチ１５Ｃをこれに対応するように構成しても良いことは、上述した第２の実施の形態と同様である。
【００６５】
（他の変形例）
上述した第２の実施の形態や第３の実施の形態において、入力端子１６や出力端子１７を複数個設ける構成とした場合、その数が多くなると、入力と出力に関する現状の設定状況やこれから設定すべき接続関係が把握しづらくなり、混乱することも考えられる。
【００６６】
そこで、第１のスイッチ１３や第２のスイッチ１５の切り替えを分かりやすくするため、録画再生装置に以下に示すような接続関係を視覚的に表示する機能を設けても良い。
【００６７】
図１１はこの変形例を説明する為のブロック図である。ここでは入力信号として、チューナ部１２からの信号（１３ａ）と、２つの録画再生装置２からの信号（１３ｂ、１３ｃ）と、記録媒体１４２からの信号（１３ｄ）の計４つの信号がある場合を示している。これに伴い、第１のスイッチ１３は可動接片１３ｘの他、固定接点１３ａ〜固定接点１３ｄの４つの固定接点を有した第１のスイッチ１３Ｄになっている。また、出力側である出力端子１７は２個設けられ、第２のスイッチ１５は可動接片１５ｘ、可動接片１５ｙの他、固定接点１５ａ〜固定接点１５ｄの４つの固定接点を有した第２のスイッチ１５Ｄになっている。
【００６８】
図１２は、図１１の利用態様の一例を示した図である。ここでは、図１１における録画再生装置２としてＶＴＲ−１を入力端子１６の１つに接続し、他の入力端子１６にはＶＴＲ−２を接続している。更に表示装置３としてＴＶ−１を出力端子１７の１つに接続し、ＴＶ−２を他の出力端子１７に接続した場合の図である。また、図１２では、録画再生装置１においてユーザにより番組αが選局され、番組γが記録されたＤＶＤ（記録媒体１４２）が挿入され、ＶＴＲ−１から録画再生装置１に対しては番組βが出力され、ＶＴＲ−２から録画再生装置１に対しては番組δが出力される場合を示している。
【００６９】
図１３は、第１のスイッチ１３や第２のスイッチ１５の切り替えの接続関係を視覚的に表示させた図である。この表示は、録画再生装置１内に別途表示装置を設けても良いし、この表示自体を表示装置３から出力させるようにしても良い。
【００７０】
ここで、外部入力１、外部入力２、チューナ信号、ドライブ信号は、入力機器を示している。即ち、外部入力１を選択すると、ＶＴＲ−１からの番組βが録画再生装置１に出力され、外部入力２を選択するとＶＴＲ−２からの番組δ、チューナ信号を選択するとチューナ部１２により選局された番組α、ドライブ信号を選択するとＤＶＤの番組である番組γが録画再生装置１に出力される。
【００７１】
一方、外部出力１、外部出力２は出力される機器を示している。即ち、外部出力１を選択すると入力信号で選択された番組がＴＶ−１に出力され、外部出力２を選択するとＴＶ−２に出力される。
【００７２】
従って、例えば、図１３（ａ）に示すように、外部入力１と外部出力１とを接続する選択をし、ドライブ信号と外部出力２とを接続する選択をすると、ＴＶ−１からは番組βが出力され、ＴＶ−２からは番組γが出力される。
【００７３】
ここで、録画再生装置１が再生モードの場合、ＴＶ−１から番組βを出力させるには、第１のスイッチ１３Ｄと第２のスイッチ１５Ｄとの接続の組み合わせは、第２のスイッチ１５が固定接点１５ａを選択していれば、第１のスイッチ１３は固定接点１３ａ〜固定接点１３ｄのいずれであっても良いし、また固定接点１３ｂと固定接点１５ｂとを選択した場合でもＴＶ−１から番組βを出力させることが実現できる。また、ＴＶ−２から番組γを出力させるには、第２のスイッチ１５が固定接点１５ｄを選択していれば、第１のスイッチ１３は固定接点１３ａ〜固定接点１３ｄのいずれであっても良いし、また固定接点１３ｄと固定接点１５ｂとを選択した場合でもＴＶ−２から番組γを出力させることが実現できる。
【００７４】
一方、録画再生装置１が録画モードの場合、録画したい番組が出力される機器に、例えば図１３（ｂ）に示すように星印のような表示を出すことで、どの入力機器からの番組を録画させるかを視覚的に把握することが可能である。具体的には、図１３（ｂ）に示すように、外部入力１と外部出力１とを選択し、ドライブ信号と外部出力２を選択し、録画モードにおいて録画すべき外部入力１を選択すると、ＴＶ−１からは番組βが出力され、ＴＶ−２からは番組γが出力され、かつ、これらを表示している最中に録画再生部１４においては番組βが録画されることとなる。
【００７５】
尚、録画再生装置１が録画モードで外部入力１を選択している場合（図１３（ｂ））、ＴＶ−１から番組βを出力させながら録画再生部１４に番組βを録画させるには、第１のスイッチ１３Ｄは固定接点１３ｂを選択し、第２のスイッチ１５Ｄは固定接点１５ｂを選択することで実現できる。
【図面の簡単な説明】
【００７６】
【図１】本発明による録画再生装置１の第１の実施の形態を示すブロック図。
【図２】本発明の第１の実施の形態に係る録画再生装置１の利用態様の一例を示した図。
【図３】ＴＶの表示番組及び録画可能な番組を示した図。
【図４】本発明による第２の実施の形態に係る録画再生装置のブロック図。
【図５】本発明の第２の実施の形態に係る録画再生装置１の利用態様の一例を示した図。
【図６】ＴＶの表示番組及び録画可能な番組を示した図。
【図７】本発明による第２の実施の形態の変形例を示したブロック図。
【図８】第２の実施の形態の変形例に係る録画再生装置１の利用態様の一例を示した図。
【図９】本発明による第３の実施の形態の変形例を示したブロック図。
【図１０】本発明の第３の実施の形態に係る録画再生装置１の利用態様の一例を示した図。
【図１１】本発明による他の変形例を説明するためのブロック図。
【図１２】本発明の他の変形例に係る録画再生装置１の利用態様の一例を示した図。
【図１３】第１のスイッチ１３や第２のスイッチ１５の切り替えの接続関係を視覚的に表示させた図。
【符号の説明】
【００７７】
１  録画再生装置
１１  アンテナ部
１２  チューナ部
１３、１３Ｂ、１３Ｄ  第１のスイッチ
１３ａ、１３ｂ、１３ｃ、１３ｄ  固定接点
１３ｘ  可動接片
１４  録画再生部
１４２  記録媒体
１５、１５Ｂ、１５Ｃ、１５Ｄ  第２のスイッチ
１５ａ、１５ｂ、１５ｃ、１５ｄ  固定接点
１５ｘ、１５ｙ  可動接片
１６  入力端子
１７  出力端子
２  録画再生装置
３  表示装置
α、β、γ、δ  番組
【図１】
2005210625.tif 000003
【図２】
2005210625.tif 000004
【図３】
2005210625.tif 000005
【図４】
2005210625.tif 000006
【図５】
2005210625.tif 000007
【図６】
2005210625.tif 000008
【図７】
2005210625.tif 000009
【図８】
2005210625.tif 000010
【図９】
2005210625.tif 000011
【図１０】
2005210625.tif 000012
【図１１】
2005210625.tif 000013
【図１２】
2005210625.tif 000014
【図１３】
2005210625.tif 000015